(57)【要約】【課題】生産性向上及び製造コスト低減を可能にし、工程自動化に従う加工精密性を大幅向上させて高品質の製品生産を可能にしたモータ用フェライトマグネチック形削加工装置を提供する。【解決手段】本発明のモータ用フェライトマグネチック形削加工装置は、弧形断面を有するフェライトマグネチックを本体４０の長手方向に整列して本体４０の一側で２列に連続供給する製品供給部１０と、前記製品供給部１０から供給されるフェライトマグネチックの両側面と切断面、外周縁、内周縁を、研磨ホイールを用いて順次に形削加工する形削加工部２０と、前記製品供給部１０から連続供給されるフェライトマグネチックを前記形削加工部２０に案内し、前記形削加工部２０で加工完了したフェライトマグネチックの排出を連続して案内する案内レール３０を含んで構成する。【選択図】図１
2020006446.tif 000002
【特許請求の範囲】
【請求項１】
弧形断面を有するフェライトマグネチックを本体の長手方向に整列して本体の一側で２列に連続供給する製品供給部と、
前記製品供給部から供給されるフェライトマグネチックの両側面と切断面、外周縁、内周縁を、研磨ホイールを用いて順次に形削加工する形削加工部と、
前記製品供給部から連続供給されるフェライトマグネチックを前記形削加工部に案内し、前記形削加工部で加工完了したフェライトマグネチックの排出を連続して案内する案内レールと、を含む
ことを特徴とする、モータ用フェライトマグネチック形削加工装置。
【請求項２】
前記製品供給部は、フェライトマグネチックを本体の長手方向に前記形削加工部に移送する移送部と、
昇降駆動部により前記移送部の高低を調節する高低調節部と、を含んで構成する
ことを特徴とする、請求項１に記載のモータ用フェライトマグネチック形削加工装置。
【請求項３】
前記形削加工部は、幅縁研磨ホイールを用いてフェライトマグネチックの両側面と切断面を同時に研磨する幅縁加工部と、
外縁研磨ホイールを用いてフェライトマグネチックの外周縁を研磨する外縁加工部と、
内縁研磨ホイールを用いてフェライトマグネチックの内周縁と切断面を同時に研磨する内縁加工部と、を含む
ことを特徴とする、請求項１に記載のモータ用フェライトマグネチック形削加工装置。
【請求項４】
前記案内レールは、フェライトマグネチックを本体の長手方向に案内する２列の案内路を並べて形成し、前記各案内路にはフェライトマグネチックの内周縁を支持しながら長手方向に案内する支持台を形成した
ことを特徴とする、請求項１に記載のモータ用フェライトマグネチック形削加工装置。
【請求項５】
前記移送部は、本体上面に固定されるベースで垂直に昇降可能に設けられる昇降体と、
前記昇降体に横方向に設けられてフェライトマグネチックを本体の長手方向に移送する移送コンベヤと、
前記移送コンベヤを駆動するコンベヤ駆動部と、
前記移送コンベヤの張力を調節するテンション部と、を含む
ことを特徴とする、請求項２に記載のモータ用フェライトマグネチック形削加工装置。
【請求項６】
前記高低調節部は、本体の上面に固定されるベースと、
上端部にはハンドル部を備え、下端部は前記ベースの上部に設けて前記ハンドル部の回転運動を直線運動に変換して前記移送部に備えられた昇降体の昇降を可能にする昇降駆動部と、を含む
ことを特徴とする、請求項２に記載のモータ用フェライトマグネチック形削加工装置。
【請求項７】
前記製品供給部は、フェライトマグネチックを本体の長手方向に移送する移送コンベヤと、前記移送コンベヤのフェライトマグネチック積載有無を感知する感知手段をさらに備える
ことを特徴とする、請求項２に記載のモータ用フェライトマグネチック形削加工装置。
【請求項８】
前記製品供給部は、フェライトマグネチックを本体の長手方向に移送する移送コンベヤと、前記移送コンベヤ上に積載されるフェライトマグネチックを２列に整列して長手方向に供給する整列手段をさらに備える
ことを特徴とする、請求項２に記載のモータ用フェライトマグネチック形削加工装置。
【請求項９】
前記感知手段は、
本体の上面に固定されるベースで垂直に昇降可能に設けられる昇降体の上部に垂直に設けられる縦棒と、
前記縦棒で高低調節可能に設けられる横棒と、
前記横棒の一端部に設けられてフェライトマグネチックを本体の長手方向に移送する移送コンベヤ上に積載されるフェライトマグネチックとの接触によりフェライトマグネチックを感知する感知センサーと、を含む
ことを特徴とする、請求項７に記載のモータ用フェライトマグネチック形削加工装置。
【請求項１０】
前記整列手段は、
フェライトマグネチックを本体の長手方向に移送する移送コンベヤの長手方向に形成されて移送コンベヤの上部の中央に位置するように昇降体の上面に固定されるセンターガイドと、
前記センターガイドの両側でセンターガイドとの間隔調節可能に前記昇降体の上面に固定されるサイドガイドと、
前記移送コンベヤの上部に積載されて移送されるフェライトマグネチックの上面が押圧できるように前記昇降体の上部で垂直に高低調節可能に設けられる上部ガイドと、を含む
ことを特徴とする、請求項８に記載のモータ用フェライトマグネチック形削加工装置。
【発明の詳細な説明】
【技術分野】
【０００１】
本発明はモータ用フェライトマグネチック形削加工装置に関し、より詳しくは、 モータ用フェライトマグネチックの形削加工過程を完全自動化して生産性を向上及び製造コスト低減を可能にし、加工精密性を格段に向上させて高品質の製品生産を可能にしたモータ用フェライトマグネチック形削加工装置に関する。
【背景技術】
【０００２】
電力を受けて回転軸を回転させることによって、その回転軸の回転力を用いる代表的な動力機械であるモータ（Ｍｏｔｏｒ）は回転軸の回転運動のために固定子と回転子の構成を有する。
【０００３】
前記固定子は内周面にマグネチックを付着したハウジングを備え、回転子は電機子（ａｒｍａｔｕｒｅ）と整流子（ｃｏｍｍｕｔａｔｏｒ）、そしてブラシ（ｂｒｕｓｈ）から構成される。
【０００４】
この際、前記モータのハウジングの内周面に付着されて固定子に使われるマグネチックは、一般に、前記フェライト材料を使用して成形されたリング形態の磁石であるフェライトマグネチックが使われる。
【０００５】
フェライト（ｆｅｒｒｉｔｅ）は、マンガン、銅、コバルト、ニッケル、マグネシウムなどの酸化物と酸化鉄の粉末を固めて作った金属酸化物磁性材料であって、高磁束性であり、抵抗値が比較的高く、高周波損失が少ない。薄電流が発生しないので、フェライトコア（ｆｅｒｒｉｔｅ  ｃｏｒｅ）、フェライトサーキュレータ（ｆｅｒｒｉｔｅ  ｃｉｒｃｕｌａｔｏｒ）、フェライトロッドアンテナ（ｆｅｒｒｉｔｅ  ｒｏｄ  ａｎｔｅｎｎａ）、ダイナミックスピーカ（ｄｙｎａｍｉｃ  ｌｏｕｄ  ｓｐｅａｋｅｒ）など、高周波用磁心材料に広く用いられている。
【０００６】
フェライトマグネチックは、誘導電流により磁性体、即ち電磁石になるが、通常、電流が流れる電線が内部を横切るように設けられるので、図１４のようにリング形態のフェライトマグネチックを本体４０の長手方向に切断して設置や修理が容易になされるようにアーチ（Ａｒｃｈ）形状に製造した後、ハウジングの内周面に円形に羅列されるように多数個を設けるようになる。
【０００７】
ところで、一般的にフェライトマグネチックはフェライトパウダーを用いてリング形に成形した後、炉の中で高い温度に焼結して形成するが、このようなフェライトマグネチックの焼結過程でサイズが不規則に形成されるだけでなく、表面も粗く形成される。
【０００８】
上記のように、サイズが不規則で、表面が粗いフェライトマグネチックをそのままモータのハウジングの内部に挿入固定して設ける場合に、ハウジングの内周面に円形に羅列されるように多数個を設ける過程で互いに異なるサイズによってバランシング（ｂａｌａｎｃｉｎｇ）に問題点が発生することによって、モータの性能低下と共に、モータの寿命を短縮する要因となる。
【０００９】
また、モータに使われるフェライトマグネチックは両側に切断面を有することによって、電線を内側に位置させた状態で円形に羅列されるフェライトマグネチックの切断面が互いに対応するように当接して使用するようになる。
【００１０】
ところで、前記フェライトマグネチックの当接した切断面が粗くなる場合に、互いに当接する切断面の間に孔隙（ａｉｒ  ｇａｐ）が発生するようになり、このような孔隙はフェライトマグネチックの性能の低下をもたらすようになる。
【００１１】
したがって、モータに使用するフェライトマグネチックはサイズを一定にすると共に、外周縁をなめらかにすることによって、フェライトマグネチックの当接した切断面で発生する孔隙を最小化するために形削加工を必須的に施行しなければならない。
【００１２】
特に、最近にはモータが自動車、家電製品など、高価の製品に広く使われるにつれて、モータの機能がより精密化、高度化されるにつれて、モータの性能を左右するフェライトマグネチックを形削加工する時、フェライトマグネチックの平坦度、均一性、平滑性などでより向上した高精密化が求められている。
【００１３】
それにもかかわらず、従来にはフェライトマグネチックの外周縁を形削加工する作業が手作業でなされた。
【００１４】
即ち、熟練した作業者がフェライトマグネチックを専用ジグに固定した後、研削機を用いていちいち手作業で加工したので、作業能率の低下によって生産性が格段に低いだけでなく、熟練した専門作業者としても手作業により形削加工がなされるので、製品の精密度が優秀でなく、製品の品質と信頼性を均一に維持し難いという問題点があった。
【００１５】
また、フェライトマグネチックを、研削機を用いて加工する過程で微細な研磨チップ（ｃｈｉｐ）が飛散するため、作業場の作業環境が非常に劣悪であるだけでなく、作業者の健康を害する問題点もあるため、勤労者らがフェライトマグネチックの加工作業を忌避することによって、求人難が深化し、それによって、人件費が上昇するにつれて、フェライトマグネチックの製造コストが上昇する問題点があった。
【００１６】
このような問題点を改善するためのフェライトコア研磨装置が従来にも開発されたことがあるが、その代表的な従来技術を調べると、次の通りである。
【００１７】
韓国登録特許公報第１０−１２８７９３４号には、内部にコア胴体が投入及び排出される入口と排出口を有する移送路が備えられた空間部を有する胴体と、前記移送路上に備えられ、移送路を通じて移送されるコア胴体の座面が研磨領域に位置する時に研磨するようになった研磨手段と、前記移送路の研磨領域には研磨されるコア胴体を研磨手段側に押圧するようになった押圧手段とから構成されたフェライトコア座面研磨装置において、前記研磨手段は電源の供給を受けて回転動力を発生させる研磨モータと；前記研磨領域に位置し、前記研磨モータの回転動力の伝達を受けて回転してコア胴体の座面を研磨するようになった板形状の研磨板を含むことを特徴とする、フェライトコア座面研磨装置が掲載されている。
【先行技術文献】
【特許文献】
【００１８】
【特許文献１】韓国登録特許第１０−１２８７９３４号公報（２０１３．０７．１８．）
【発明の概要】
【発明が解決しようとする課題】
【００１９】
前記のような従来技術のフェライトコア座面研磨装置は、半円型の形態を有するフェライトコア胴体が互いに当接して結合される部分である座面のみを研磨加工する装置であって、座面の平坦及び均一性が向上する長所はあるが、近来にはモータが自動車、家電製品など、高価の製品に広く使われるにつれて、モータの機能がより精密化、高度化されるにつれて、モータの性能を左右するフェライトマグネチックを形削加工する時、フェライトマグネチックの座面だけでなく、フェライトマグネチックの長さ、内周面と外周面の平滑性座面の平坦度など、フェライトマグネチックの全面に亘った非常に精密化された加工技術を要している実状である。
【００２０】
したがって、従来技術のように、座面のみが加工できる研磨装置では、高品質のフェライトマグネチックを研磨加工することが現実的に困難であるところ、フェライトマグネチックの供給、加工、排出からなる一連の加工工程が全て自動化できるようにすることによって、生産性向上及び製造コスト低減を可能にし、工程自動化に従う加工精密性を大幅向上させて高品質の製品生産を可能にしたモータ用フェライトマグネチック形削加工装置の開発が切実な実状である。
【課題を解決するための手段】
【００２１】
本発明のモータ用フェライトマグネチック形削加工装置は、前述したような従来の問題点を解消するために発明したものであって、弧形断面を有するフェライトマグネチックを本体の長手方向に整列して、本体の一側で２列に連続供給する製品供給部と、前記製品供給部から供給されるフェライトマグネチックの両側面と切断面、外周縁、内周縁を、研磨ホイールを用いて順次に形削加工する形削加工部と、前記製品供給部から連続供給されるフェライトマグネチックを前記形削加工部に案内し、前記形削加工部で加工完了したフェライトマグネチックの排出を連続して案内する案内レールを含んで構成することによって、モータ用フェライトマグネチックの形削加工過程を完全自動化して生産性の向上及び製造コストの低減を可能にし、加工精密性を大幅向上させて高品質のフェライトマグネチック生産を可能にした目的を達成することができる。
【００２２】
一方、前記製品供給部はフェライトマグネチックを本体の長手方向に前記形削加工部に移送する移送部と、昇降駆動部により前記移送部の高低を調節する高低調節部を含んで構成することを特徴とする。
【００２３】
前記形削加工部は、幅縁研磨ホイールを用いてフェライトマグネチックの両側面と切断面を同時に研磨する幅縁加工部と、外縁研磨ホイールを用いてフェライトマグネチックの外周縁を研磨する外縁加工部と、内縁研磨ホイールを用いてフェライトマグネチックの内周縁と切断面を同時に研磨する内縁加工部を含むことを特徴とする。
【００２４】
前記案内レールは、フェライトマグネチックを本体の長手方向に案内する２列の案内路を並べて形成し、前記各案内路にはフェライトマグネチックの内周縁を支持しながら長手方向に案内する支持台を形成したことを特徴とする。
【００２５】
前記移送部は、前記本体の上面に固定されるベースで垂直に昇降可能に設けられる昇降体と、前記昇降体に横方向に設けられてフェライトマグネチックを本体の長手方向に移送する移送コンベヤと、前記移送コンベヤを駆動するコンベヤ駆動部と、前記移送コンベヤの張力を調節するテンション部を含むことを特徴とする。
【００２６】
前記高低調節部は、本体の上面に固定されるベースと、上端部にはハンドル部を備え、下端部は前記ベースの上部に設けて前記ハンドル部の回転運動を直線運動に変換して前記移送部に備えられた昇降体の昇降を可能にする昇降駆動部を含むことを特徴とする。
【００２７】
前記製品供給部は、前記昇降体の上部に垂直に設けられる縦棒と、前記縦棒で高低調節可能に設けられる横棒と、前記横棒の一端部に設けられて前記移送コンベヤ上に積載されるフェライトマグネチックとの接触によりフェライトマグネチックを感知する感知センサーを含んで前記移送コンベヤのフェライトマグネチック積載有無を感知する感知手段をさらに備えることができる。
【００２８】
また、前記製品供給部は、前記移送コンベヤの長手方向に形成されて移送コンベヤの上部の中央に位置するように昇降体の上面に固定されるセンターガイドと、前記センターガイドの両側でセンターガイドとの間隔調節可能に前記昇降体の上面に固定されるサイドガイドと、前記移送コンベヤの上部に積載されて移送されるフェライトマグネチックの上面が押圧できるように前記昇降体の上部で垂直に高低調節可能に設けられる上部ガイドを含んで前記移送コンベヤ上に積載されるフェライトマグネチックを２列に整列して長手方向に供給する整列手段をさらに備えることができる。
【発明の効果】
【００２９】
以上のような本発明のモータ用フェライトマグネチック形削加工装置は、フェライトマグネチックの形削加工時、フェライトマグネチックの供給、加工、排出からなる一連の加工工程が全て自動でなされることによって、フェライトマグネチックの加工時間が格段に短縮されて生産性が格段に向上されるだけでなく、人件費の低減により製造コストを格段に低めることができる効果がある。
【００３０】
また、フェライトマグネチックの両側面と切断面、外周縁、内周縁を連続して形削加工することによって、加工精密性が格段に向上して、高品質のフェライトマグネチックを生産することができる効果もある。
【００３１】
また、フェライトマグネチックを全体的に形状加工するにもかかわらず、全体装置の体積が小さく、構成が簡潔で、空間効率性に優れるだけでなく、維持、補修が容易な利点もある。
【００３２】
併せて、フェライトマグネチックの形削加工時に発生する研磨チップの飛散を防止すると共に、研磨チップを効率よく排出処理することによって、作業者の健康を害しないで、作業場の環境を清潔に維持することができる利点も得られる。
【図面の簡単な説明】
【００３３】
【図１】本発明のモータ用フェライトマグネチック形削加工装置の実施形態に係る斜視図である。
【図２】本発明のモータ用フェライトマグネチック形削加工装置の実施形態に係る正面図である。
【図３】本発明のモータ用フェライトマグネチック形削加工装置の実施形態に係る主要部背面図である。
【図４】本発明のモータ用フェライトマグネチック形削加工装置の実施形態に係る平面図である。
【図５】本発明のモータ用フェライトマグネチック形削加工装置の製品供給部の構成を示す斜視図である。
【図６】本発明のモータ用フェライトマグネチック形削加工装置の製品供給部の構成を示す正面図である。
【図７】本発明のモータ用フェライトマグネチック形削加工装置の製品供給部に備えられた移送コンベヤ正面断面図である。
【図８】本発明のモータ用フェライトマグネチック形削加工装置の製品供給部の構成を示す側面断面図である。
【図９】本発明のモータ用フェライトマグネチック形削加工装置の形削加工部の構成を示す正面拡大図である。
【図１０】本発明のモータ用フェライトマグネチック形削加工装置の実施形態に係る形削加工部の幅縁加工部の側面断面図である。
【図１０ａ】本発明のモータ用フェライトマグネチック形削加工装置の実施形態に係る幅縁加工部の拡大断面図である。
【図１１】本発明のモータ用フェライトマグネチック形削加工装置の実施形態に係る形削加工部の外縁加工部の側面断面図である。
【図１１ａ】本発明のモータ用フェライトマグネチック形削加工装置の実施形態に係る外縁加工部の拡大断面図である。
【図１２】本発明のモータ用フェライトマグネチック形削加工装置の実施形態に係る形削加工部の内縁加工部の側面断面図である。
【図１２ａ】本発明のモータ用フェライトマグネチック形削加工装置の実施形態に係る内縁加工部の拡大断面図である。
【図１３】本発明のモータ用フェライトマグネチック形削加工装置の実施形態に係るフェライトマグネチックの加工過程を示す工程図である。
【図１４】一般的なモータ用フェライトマグネチックを示す斜視図である。
【発明を実施するための形態】
【００３４】
以下、本発明のモータ用フェライトマグネチック形削加工装置の好ましい実施形態に係る構成と作用を添付図面により、一層詳細に説明すれば、次の通りである。
【００３５】
本発明のモータ用フェライトマグネチック形削加工装置は、添付図面の図１から図４のように、弧形断面を有するフェライトマグネチックを本体４０の長手方向に整列して本体４０の一側で２列に連続供給する製品供給部１０と、前記製品供給部１０から供給されるフェライトマグネチックの両側面と切断面、外周縁、内周縁を、研磨ホイールを用いて順次に形削加工する形削加工部２０と、前記製品供給部１０から連続供給されるフェライトマグネチックを前記形削加工部２０に案内し、前記形削加工部２０で加工完了したフェライトマグネチックの排出を連続して案内する案内レール３０を含んで構成するが、これを各構成部別に詳細に説明すれば、次の通りである。
【００３６】
前記製品供給部１０は、添付図面の図５から図８のように、弧形断面を有するフェライトマグネチックを本体４０の長手方向に整列して本体４０の一側で２列に連続供給するためにフェライトマグネチックを本体４０の長手方向に前記形削加工部２０に移送する移送部１０１と、昇降駆動部１０２ｃにより前記移送部１０１の高低を調節する高低調節部１０２を含んで構成する。
【００３７】
前記移送部１０１は、前記昇降駆動部１０２ｃにより本体４０の上面に固定されるベース１０２ａで垂直に昇降可能に設けられる昇降体１０１ａと、前記昇降体１０１ａに横方向に設けられてフェライトマグネチックを本体４０の長手方向に移送する移送コンベヤ１０１ｂと、前記移送コンベヤ１０１ｂを駆動するコンベヤ駆動部１０１ｃと、前記移送コンベヤ１０１ｂの張力を調節するテンション部１０１ｄを含んで構成する。
【００３８】
前記昇降体１０１ａは、昇降駆動部１０２ｃにより本体の上面に固定されるベース１０２ａで垂直に昇降可能に設けられて前記移送コンベヤ１０１ｂ上に積載されて移送されるフェライトマグネチックのサイズによって昇降体１０１ａの高低調節によりフェライトマグネチックが前記形削加工部２０に円滑に供給されるが、昇降体１０１ａの昇降のための具体的な構造は以下で説明する。
【００３９】
前記移送コンベヤ１０１ｂは、フェライトマグネチックをスリップ無しで連続して供給するためにベルトコンベヤを使用することが好ましい。また、移送コンベヤ１０１ｂの幅はフェライトマグネチックを本体４０の長手方向に整列して２列に積載できる幅で形成する。
【００４０】
前記移送コンベヤ１０１ｂの上部にフェライトマグネチックを積載する時には手作業による積載も可能であるが、好ましくはフェライトマグネチックを面取り加工する面取り加工機（図示せず）を本体の一側に設けて面取り加工が完了したフェライトマグネチックが自動で移送コンベヤ１０１ｂ上に積載されるようにすることが好ましい。
【００４１】
前記コンベヤ駆動部１０１ｃは、前記昇降体１０１ａの後方に駆動モータ１００１を設けて、昇降体１０１ａの下部には前記駆動モータの動力によって前記移送コンベヤ１０１ｂを駆動する駆動ローラー１００２を備える。
【００４２】
前記コンベヤ駆動部１０１ｃは、前記移送コンベヤ１０１ｂがフェライトマグネチックを積載して連続して形削加工部２０に供給できるように移送コンベヤ１０１ｂを連続駆動するか、またはフェライトマグネチックを間歇的に形削加工部２０に供給できるように移送コンベヤ１０１ｂを一定のピッチで間欠駆動することも可能であることを予め明らかにする。
【００４３】
前記テンション部１０１ｃは、前記コンベヤ駆動部１０１ｃにより前記移送コンベヤ１０１ｂが駆動される時、スリップが発生しないように前記駆動ローラーの両側で移送コンベヤ１０１ｂの張力が調節できるように移送コンベヤ１０１ｂに接するテンションローラー１００３をねじ棒により位置調節可能に設ける。
【００４４】
前記高低調節部１０２は、本体の上面に固定されるベース１０２ａと、上端部にはハンドル部１０２ｂを備え、下端部は前記ベース１０２ａの上部に設けて前記ハンドル部１０２ｂの回転運動を直線運動に変換して前記移送部１０１に備えられた昇降体の昇降を可能にする昇降駆動部１０２ｃを含む。
【００４５】
即ち、前記昇降駆動部１０２ｃは前記本体の上面に固定設置されるベース１０２ａの上端部の正面にハンドル部１０２ｂを備え、前記ハンドル部１０２ｂの回転力を、ベベルギアを用いてベース１０２ａの内部に設けられた螺旋軸を駆動させることができるようにし、かつ前記螺旋軸には前記昇降体をねじ結合することによって、ハンドル部１０２ｂの回転により螺旋軸が回転するにつれて、螺旋軸にねじ結合された昇降体が昇降するようになる。
【００４６】
一方、前記製品供給部１０は、前記移送コンベヤ１０１ｂのフェライトマグネチック積載有無を感知する感知手段１０３をさらに備えることができる。
【００４７】
即ち、前記感知手段１０３は前記昇降体の上部に垂直に設けられる縦棒１０３ａと、前記縦棒１０３ａで高低調節可能に設けられる横棒１０３ｂと、前記横棒１０３ｂの一端部に設けられて前記移送コンベヤ１０１ｂ上に積載されるフェライトマグネチックとの接触によりフェライトマグネチックを感知する感知センサー１０３ｃを含んで構成することによって、フェライトマグネチックのサイズによって感知センサー１０３ｃの位置を調節して移送コンベヤ１０１ｂに積載されるフェライトマグネチック積載有無が感知できるようになる。
【００４８】
したがって、前記感知センサー１０３ｃを製品供給部１０の先端部に設ける場合には、移送コンベヤ１０１ｂ上にフェライトマグネチックがない場合に、面取り加工により１次加工されたフェライトマグネチックを製品供給部の移送コンベヤ１０１ｂに供給する面取り加工機（図示せず）に動作制御信号を提供してフェライトマグネチックを自動で供給を受けることができるようになる。
【００４９】
また、製品供給部１０から形削加工部２０にフェライトマグネチックの供給がなされる製品供給部１０の末端部に前記感知センサー１０３ｃを設ける場合には、移送コンベヤ１０１ｂ上にフェライトマグネチックがない場合に、形削加工部２０に動作制御信号を提供して形削加工部２０の動作を止めるようにすることによって、形削加工部２０が不要に稼働されないようにして、形削加工部２０の効率の良い稼動が可能になる。
【００５０】
また、前記製品供給部１０は、前記移送コンベヤ１０１ｂ上に積載されるフェライトマグネチックを２列に整列して長手方向に供給する整列手段１０４をさらに備えることができる。
【００５１】
即ち、前記整列手段１０４は前記移送コンベヤ１０１ｂの長手方向に形成されて移送コンベヤ１０１ｂの上部の中央に位置するように昇降体１０１ａの上面に固定されるセンターガイド１０４ａと、前記センターガイド１０４ａの両側でセンターガイド１０４ａとの間隔調節可能に前記昇降体１０１ａの上面に固定されるサイドガイド１０４ｂと、前記移送コンベヤ１０１ｂの上部に積載されて移送されるフェライトマグネチックの上面が押圧できるように前記昇降体１０１ａ上部で垂直に高低調節可能に設けられる上部ガイド１０４ｃを含んで構成することによって、前記移送コンベヤ１０１ｂ上に積載されるフェライトマグネチックを移送コンベヤ１０１ｂの中央で２列に整列して長手方向に供給できるようになって、形削加工部２０によるフェライトマグネチックの２列同時加工が可能になり、それによってフェライトマグネチック形状加工の生産性が格段に向上するだけでなく、フェライトマグネチックが正確に整列されて供給されることによって、形削加工部２０によるフェライトマグネチックの形状加工がより精密になされるようになって、加工品質が格段に向上する。
【００５２】
前記形削加工部２０は、添付図面の図９から図１２のように、幅縁研磨ホイール２０１を用いてフェライトマグネチックの両側面と切断面を同時に研磨する幅縁加工部２０ａと；外縁研磨ホイール２０３を用いてフェライトマグネチックの外周縁を研磨する外縁加工部２０ｂと；内縁研磨ホイール２０４を用いてフェライトマグネチックの内周縁と切断面を同時に研磨する内縁加工部２０ｃを含んで構成する。
【００５３】
前記幅縁加工部２０ａは、添付図面の図９のＡ−Ａ'線の断面を示す図１０から図１０ａのように、前記本体４０で昇降可能に設けた昇降フレーム４０１ａの後面に設けたモータＭ１と；前記昇降フレーム４０１ａの前面の案内レール３０の下部に設けて前記モータＭ１により駆動され、外周縁が前記案内レール３０に沿って移動するフェライトマグネチックの両側面と切断面を同時に研磨する幅縁研磨ホイール２０１と；昇降フレーム４０１ｂの前面の一側に設けて前記案内レール３０の案内路３０１に沿って移動するフェライトマグネチックの上部外周縁を押圧して強制移送する押圧移送手段２０２を含む。
【００５４】
前記幅縁研磨ホイール２０１の外周縁は案内路３０１に設けられた支持台３０３に沿って移動するフェライトマグネチックの両側面と切断面が同時に研磨できるように案内路３０１に設けられた支持台３０３とフェライトマグネチックの縦断面の形状と対応する多段構造の溝部を形成することが好ましい。
【００５５】
また、前記幅縁研磨ホイール２０１は案内レール３０に形成された案内路３０１の数と対応するようにモータＭ１の回転軸に設けることによって、各案内路３０１に各々の幅縁研磨ホイール２０１がフェライトマグネチックの両側面と切断面を同時に研磨する。
【００５６】
併せて、上記のように幅縁研磨ホイール２０１を用いて案内路３０１に設けられた支持台３０３に沿って移動するフェライトマグネチックの両側面と切断面を同時に研磨するために幅縁加工部２０ａを通過する案内路３０１には前記幅縁研磨ホイール２０１が下部から上部に通過して露出する通孔部３０２を形成することが好ましい。
【００５７】
前記押圧移送手段２０２は昇降フレーム４０１ｂの前面に一定間隔で設けられたガイドローラー２０２ａと；前記ガイドローラー２０２ａの一側上部に設けられてモータＭ２により駆動される駆動ギア２０２ｂと；前記ガイドローラー２０２ａと駆動ギア２０２ｂの間を連結するように設ける押圧移送ベルト２０２ｃと；前記押圧移送ベルト２０２ｃの張力を維持するテンションローラー２０２ｄを備えて前記押圧移送ベルト２０２ｃを含んで構成することによって、前記案内レール３０の案内路３０１に沿って移動するフェライトマグネチックの上部外周縁を上部から下部に押圧して案内路３０１に沿って強制移送する。
【００５８】
前記押圧移送ベルト２０２ｃは、アーチ型に形成されたフェライトマグネチックを安定的に押圧して強制移送できるように高い摩擦力と弾性を有するゴム素材からなり、駆動ギア２０２ｂによる駆動過程で滑りが発生しないように内面に凹凸部を有するタイミングベルトタイプを使用することが好ましい。
【００５９】
一方、フェライトマグネチックが移送される案内レール３０に２列以上の案内路３０１を形成する場合に、前記押圧移送ベルト２０２ｃの幅は案内レール３０に形成された全体案内路３０１の幅に対応するように形成することによって、全ての案内路３０１に沿って移送されるフェライトマグネチックを同時に押圧して強制移送する。
【００６０】
前記外縁加工部２０ｂは、添付図面の図９のＢ−Ｂ'線の断面を示す図１１から図１１ａのように、前記本体４０で昇降可能に設けた昇降フレーム４０１ｃの後面に設けたモータＭ３と；前記昇降フレーム４０１ｃの前面の案内レール３０の上部に設けて前記モータＭ３により駆動され、外周縁が前記案内レール３０に沿って移動するフェライトマグネチックの上部外周縁を研磨する外縁研磨ホイール２０３を含む。
【００６１】
前記外縁研磨ホイール２０３の外周縁は案内路３０１に設けられた支持台３０３に沿って移動するフェライトマグネチックの外周縁が研磨できるようにフェライトマグネチックの外周縁の形状と対応する溝部を形成することが好ましい。
【００６２】
また、前記外縁研磨ホイール２０３は案内レール３０に形成された案内路３０１の数と対応するようにモータＭ３の回転軸に設けることによって、各案内路３０１に各々の外縁研磨ホイール２０３がフェライトマグネチックの外周縁を研磨する。
【００６３】
前記内縁加工部２０ｃは、添付図面の図９のＣ−Ｃ'線の断面を示す図１２から図１２ａのように、前記本体４０で昇降可能に設けた昇降フレーム４０１ｄの後面に設けたモータＭ４と；前記昇降フレーム４０１ｄの前面の案内レール３０の下部に設けて前記モータＭ４により駆動され、外周縁が前記案内レール３０に沿って移動するフェライトマグネチックの下部内周縁と切断面を同時に研磨する内縁研磨ホイール２０４と；前記昇降フレーム４０１ｄの前面の一側に設けて前記案内レール３０の案内路３０１に沿って移動するフェライトマグネチックの上部外周縁を押圧する押圧手段２０５を含む。
【００６４】
前記内縁研磨ホイール２０４の外周縁は案内路３０１に設けられた支持台３０３に沿って移動するフェライトマグネチックの内周縁と切断面が同時に研磨できるようにフェライトマグネチックの内周縁と切断面の形状に対応する凸部を形成することが好ましい。
【００６５】
前記内縁研磨ホイール２０４は、案内レール３０に形成された案内路３０１の数と対応するようにモータＭ４の回転軸に設けることによって、各案内路３０１に各々の内縁研磨ホイール２０４がフェライトマグネチックの内周縁と切断面を同時に研磨する。
【００６６】
上記のように内縁研磨ホイール２０４を用いて案内路３０１に設けられた支持台３０３に沿って移動するフェライトマグネチックの内周縁と切断面を同時に研磨するために、内縁加工部２０ｃを通過する案内路３０１には、前記内縁研磨ホイール２０４が下部から上部に通過して露出する通孔部３０２を形成することが好ましい。
【００６７】
前記押圧手段２０５は、昇降フレーム４０１ｅの前面で前記案内レール３０の案内路３０１と水平に設けられたガイドバー２０５ａを備えて前記案内レール３０の案内路３０１に沿って移動するフェライトマグネチックの上部外周縁を押圧することによって、内縁研磨ホイール２０４によりフェライトマグネチックの内周縁と切断面が研磨される時、フェライトマグネチックの揺動を防止して内周縁と切断面の精密な研磨がなされる。
【００６８】
併せて、前記ガイドバー２０５ａの底面には内縁研磨ホイール２０４により内周縁と切断面が同時に研磨されるフェライトマグネチックを堅く押圧すると共に、案内路３０１に沿って移動するフェライトマグネチックとの摩擦を最小化することによって、フェライトマグネチックの移動が円滑であるようにテフロン（登録商標）のような低摩擦部材２０５ｂを埋込形成するか、または低摩擦素材を用いてコーティング処理することができる。
【００６９】
一方、前記形削加工部２０に設けられる全ての昇降フレーム（４０１ａ、４０１ｂ、４０１ｃ、４０１ｄ、４０１ｅ）は、本体４０の上部に設けられた各々の昇降手段（４０２ａ、４０２ｂ、４０２ｃ、４０２ｄ、４０２ｅ）により垂直に各々昇降するように設けることによって、多様なフェライトマグネチックの規格に対応して適切な高さでフェライトマグネチックの研磨が可能である。
【００７０】
即ち、昇降手段（４０２ａ、４０２ｂ、４０２ｃ、４０２ｄ、４０２ｅ）による昇降フレーム（４０１ａ、４０１ｂ、４０１ｃ、４０１ｄ、４０１ｅ）の高低によって各昇降フレーム（４０１ａ、４０１ｂ、４０１ｃ、４０１ｄ、４０１ｅ）に設けられた各研磨ホイール（２０１、２０３、２０４）の高低が制御されることによって、フェライトマグネチックの研磨量が制御される。
【００７１】
したがって、前記各昇降フレーム（４０１ａ、４０１ｂ、４０１ｃ、４０１ｄ、４０１ｅ）の精密な昇降作動を可能にするために、本体４０と昇降フレーム（４０１ａ、４０１ｂ、４０１ｃ、４０１ｄ、４０１ｅ）との間にはＬＭガイドや昇降案内棒のようなガイド手段を備えることが好ましい。
【００７２】
前記昇降手段（４０２ａ、４０２ｂ、４０２ｃ、４０２ｄ、４０２ｅ）は、昇降フレーム（４０１ａ、４０１ｂ、４０１ｃ、４０１ｄ、４０１ｅ）の精密な高低制御が可能であるように油圧シリンダーを使用し、かつこれに限定するものではないことを予め明らかにする。
【００７３】
また、各昇降フレーム（４０１ａ、４０１ｂ、４０１ｃ、４０１ｄ、４０１ｅ）の一側には各昇降手段（４０２ａ、４０２ｂ、４０２ｃ、４０２ｄ、４０２ｅ）により昇降する各昇降フレームの位置を検出する位置検出手段を備えることによって、位置検出手段で提供される位置検出信号によって各昇降手段（４０２ａ、４０２ｂ、４０２ｃ、４０２ｄ、４０２ｅ）の動作を制御して、各昇降フレーム（４０１ａ、４０１ｂ、４０１ｃ、４０１ｄ、４０１ｅ）の位置が精密に制御できるようになることによって、フェライトマグネチックの精密な形削加工がなされる。
【００７４】
一方、形削加工部２０の各加工部には研磨ホイールを用いてフェライトマグネチックを形削加工する過程で発生する研磨チップの飛散を防止すると共に、研磨過程で発生する熱によるフェライトマグネチックの変形や損傷を防止するために、研磨ホイールの一側に研磨液を噴射する噴射ノズルを設けることが好ましい、かつ研磨液噴射ノズルに対する図面の図示は省略する。
【００７５】
前記案内レール３０は、フェライトマグネチックを本体４０の長手方向に案内する案内路３０１を形成して一端部が前記本体４０一側の移送コンベヤ１０１ｂの末端部上に位置し、他端部が前記本体４０の他側に位置するように本体４０に横方向に設けることによって、移送コンベヤ１０１ｂにより案内レール３０に移送されたフェライトマグネチックが案内路３０１に沿って１列に整列されて形削加工部２０に連続供給される。
【００７６】
前記案内路３０１は、２列を並べて形成し、かつ前記各案内路３０１の幅は供給するフェライトマグネチックの左右幅に対応することが好ましい。
【００７７】
前記案内路３０１にはフェライトマグネチックの内周縁を支持しながらフェライトマグネチックを本体４０の長手方向に案内する支持台３０３をさらに備えることができる。
【００７８】
この際、前記支持台３０３の高さは案内路３０１に積載されたフェライトマグネチックの切断面で内周縁の上端部までの高さに対応することが好ましく、支持台３０３の上面には案内路３０１に沿って移動するフェライトマグネチックとの摩擦を最小化することによって、フェライトマグネチックの移動が円滑であるようにテフロン（登録商標）のような低摩擦部材３０４を埋込形成するか、または低摩擦素材を用いてコーティング処理することができる。
【００７９】
以上のような本発明の技術が適用されたモータ用フェライトマグネチック形削加工装置の作動関係を添付した図面により説明すれば、次の通りである。
【００８０】
本発明のモータ用フェライトマグネチック形削加工装置を用いてモータ用フェライトマグネチックの両側面と切断面、外周縁、内周縁を順次に自動形削加工するためには、焼結形成後、製品サイズに面取り加工されたフェライトマグネチックが案内レール３０の案内路３０１に供給されるように移送コンベヤ１０１ｂの上部に連続して積載する。
【００８１】
移送コンベヤ１０１ｂの上部に連続して積載されたフェライトマグネチックは、移送コンベヤ１０１ｂにより移送されて案内レール３０の案内路３０１の上部に積載された後、移送コンベヤ１０１ｂの駆動力により案内路３０１に積載されたフェライトマグネチックの前後面が互いに密着した状態で押されて入り込む。
【００８２】
前記案内路３０１に沿って移送されたフェライトマグネチックが幅縁加工部２０ａに到達すれば、幅縁加工部２０ａの押圧移送手段２０２により一定の圧力で圧送されながら、案内レール３０の下部に設けられた幅縁研磨ホイール２０１によりフェライトマグネチックの両側面と切断面が同時に研磨される。
【００８３】
幅縁加工部２０ａで両側面と切断面が同時に研磨されたフェライトマグネチックが幅縁加工部２０ａの押圧移送手段２０２により一定の圧力で圧送される後尾フェライトマグネチックに押されて案内路３０１に沿って移送されて外縁加工部２０ｂに到達すれば、外縁研磨ホイール２０３によりフェライトマグネチックの外周縁が研磨される。
【００８４】
外縁加工部２０ｂで外周縁が研磨されたフェライトマグネチックが幅縁加工部２０ａの押圧移送手段２０２により一定の圧力で圧送される後尾フェライトマグネチックに押されて案内路３０１に沿って移送されて内縁加工部２０ｃに到達すれば、内縁研磨ホイール２０４によりフェライトマグネチックの内周縁と切断面が同時に研磨されることによって、フェライトマグネチックの研磨が完了する。
【００８５】
したがって、形削加工のためのフェライトマグネチックの供給と、フェライトマグネチックの両側面と、切断面、外周縁、内周縁の研磨加工及び排出に達する一連の工程が全て自動でなされることによって、フェライトマグネチックの大量生産が容易になる。
【００８６】
また、本発明のモータ用フェライトマグネチック形削加工装置は、製品供給部１０を通じて連続供給されるフェライトマグネチックが形削加工部２０を連続して通過しながらフェライトマグネチックＡの前後面を除外した両側面Ａ１と、切断面Ａ２、外周縁Ａ３、内周縁Ａ４を順次に自動形削加工する過程で両側面と切断面、外周縁、内周縁を各々研磨する各研磨ホイール（２０１、２０３、２０４）の高低を精密に自動制御することによって、加工精密性が格段に向上して製品の品質と信頼性を高めることができるようになる。
【００８７】
併せて、フェライトマグネチックを形削加工する時、各研磨ホイールの一側に設けられた研磨液噴射ノズルから研磨液を噴射することによって、研磨過程で発生する研磨チップや粉塵は研磨液により洗われて研磨液と共に排出されることによって、研磨チップや粉塵の飛散を防止して作業場の環境が快適に維持できるようになる。
【００８８】
以上、本発明の好ましい実施形態に対して図示及び説明したが、本発明は前述した特定の実施形態に限定されず、請求範囲で請求する本発明の要旨を逸脱することなく、当該発明が属する技術分野で通常の知識を有する者により多様な変形実施や応用が可能であることは勿論であり、このような変形実施や応用例は本発明の技術的思想や展望から個別的に理解されてはならない。
【符号の説明】
【００８９】
Ａ    フェライトマグネチック
Ａ１  側面
Ａ２  切断面
Ａ３  外周縁
Ａ４  内周縁
１０    製品供給部
１０１    移送部
１０１ａ  昇降体
１０１ｂ  移送コンベヤ
１０１ｃ  コンベヤ駆動部
１０１ｄ  テンション部
１０２    高低調節部
１０２ａ  ベース
１０２ｂ  ハンドル部
１０２ｃ  昇降駆動部
１０３    感知手段
１０３ａ  縦棒
１０３ｂ  横棒
１０３ｃ  感知センサー
１０４    整列手段
１０４ａ  センターガイド
１０４ｂ  サイドガイド
１０４ｃ  上部ガイド
２０    形削加工部
２０ａ  幅縁加工部
２０１    幅縁研磨ホイール
２０２    押圧移送手段
２０２ａ  ガイドローラー
２０２ｂ  駆動ギア
２０２ｃ  押圧移送ベルト
２０２ｄ  テンションローラー
２０ｂ  外縁加工部
２０３    外縁研磨ホイール
２０ｃ  内縁加工部
２０４    内縁研磨ホイール
２０５    押圧手段
２０５ａ  ガイドバー
２０５ｂ  低摩擦部材
３０    案内レール
３０１    案内路
３０２    通孔部
３０３    支持台
３０４    低摩擦部材
４０    本体
４０１ａ、４０１ｂ、４０１ｃ、４０１ｄ、４０１ｅ    昇降フレーム
４０２ａ、４０２ｂ、４０２ｃ、４０２ｄ、４０２ｅ    昇降手段
１００１    駆動モータ
１００２    駆動ローラー
１００３    テンションローラー
Ｍ１、Ｍ２、Ｍ３、Ｍ４    モータ
【図１】
2020006446.tif 000003
【図２】
2020006446.tif 000004
【図３】
2020006446.tif 000005
【図４】
2020006446.tif 000006
【図５】
2020006446.tif 000007
【図６】
2020006446.tif 000008
【図７】
2020006446.tif 000009
【図８】
2020006446.tif 000010
【図９】
2020006446.tif 000011
【図１０】
2020006446.tif 000012
【図１０ａ】
2020006446.tif 000013
【図１１】
2020006446.tif 000014
【図１１ａ】
2020006446.tif 000015
【図１２】
2020006446.tif 000016
【図１２ａ】
2020006446.tif 000017
【図１３】
2020006446.tif 000018
【図１４】
2020006446.tif 000019
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
弧形断面を有するフェライトマグネチックを本体の長手方向に整列して本体の一側で２列に連続供給する製品供給部と、
前記製品供給部から供給されるフェライトマグネチックの両側面と切断面、外周縁、内周縁を、研磨ホイールを用いて順次に研磨加工する形削加工部と、
前記製品供給部から連続供給されるフェライトマグネチックを前記形削加工部に案内し、前記形削加工部で加工完了したフェライトマグネチックの、本体の他側への排出を連続して案内する案内レールと、を含み、
前記形削加工部は、幅縁研磨ホイールを用いてフェライトマグネチックの両側面と切断面を同時に研磨する幅縁加工部と、
外縁研磨ホイールを用いてフェライトマグネチックの外周縁を研磨する外縁加工部と、
内縁研磨ホイールを用いてフェライトマグネチックの内周縁と切断面を同時に研磨する内縁加工部と、を含む
ことを特徴とする、モータ用フェライトマグネチック形削加工装置。
【請求項２】
弧形断面を有するフェライトマグネチックを本体の長手方向に整列して本体の一側で２列に連続供給する製品供給部と、
前記製品供給部から供給されるフェライトマグネチックの両側面と切断面、外周縁、内周縁を、研磨ホイールを用いて順次に研磨加工する形削加工部と、
前記製品供給部から連続供給されるフェライトマグネチックを前記形削加工部に案内し、前記形削加工部で加工完了したフェライトマグネチックの、本体の他側への排出を連続して案内する案内レールと、を含み、
前記製品供給部は、フェライトマグネチックを本体の長手方向に前記形削加工部に移送する移送部と、
昇降駆動部により前記移送部の高低を調節する高低調節部と、を含んで構成し、
前記移送部は、本体上面に固定されるベースで垂直に昇降可能に設けられる昇降体と、
前記昇降体に横方向に設けられてフェライトマグネチックを本体の長手方向に移送する移送コンベヤと、
前記移送コンベヤを駆動するコンベヤ駆動部と、
前記移送コンベヤの張力を調節するテンション部と、を含む
ことを特徴とする、モータ用フェライトマグネチック形削加工装置。
【請求項３】
弧形断面を有するフェライトマグネチックを本体の長手方向に整列して本体の一側で２列に連続供給する製品供給部と、
前記製品供給部から供給されるフェライトマグネチックの両側面と切断面、外周縁、内周縁を、研磨ホイールを用いて順次に研磨加工する形削加工部と、
前記製品供給部から連続供給されるフェライトマグネチックを前記形削加工部に案内し、前記形削加工部で加工完了したフェライトマグネチックの、本体の他側への排出を連続して案内する案内レールと、を含み、
前記製品供給部は、フェライトマグネチックを本体の長手方向に前記形削加工部に移送する移送部と、
昇降駆動部により前記移送部の高低を調節する高低調節部と、を含んで構成し、
前記高低調節部は、本体の上面に固定されるベースと、
上端部にはハンドル部を備え、下端部は前記ベースの上部に設けて前記ハンドル部の回転運動を直線運動に変換して前記移送部に備えられた昇降体の昇降を可能にする昇降駆動部と、を含む
ことを特徴とする、モータ用フェライトマグネチック形削加工装置。
【請求項４】
弧形断面を有するフェライトマグネチックを本体の長手方向に整列して本体の一側で２列に連続供給する製品供給部と、
前記製品供給部から供給されるフェライトマグネチックの両側面と切断面、外周縁、内周縁を、研磨ホイールを用いて順次に研磨加工する形削加工部と、
前記製品供給部から連続供給されるフェライトマグネチックを前記形削加工部に案内し、前記形削加工部で加工完了したフェライトマグネチックの、本体の他側への排出を連続して案内する案内レールと、を含み、
前記製品供給部は、フェライトマグネチックを本体の長手方向に前記形削加工部に移送する移送部と、
昇降駆動部により前記移送部の高低を調節する高低調節部と、を含んで構成し、
前記製品供給部は、フェライトマグネチックを本体の長手方向に移送する移送コンベヤと、前記移送コンベヤのフェライトマグネチック積載有無を感知する感知手段をさらに備える
ことを特徴とする、モータ用フェライトマグネチック形削加工装置。
【請求項５】
弧形断面を有するフェライトマグネチックを本体の長手方向に整列して本体の一側で２列に連続供給する製品供給部と、
前記製品供給部から供給されるフェライトマグネチックの両側面と切断面、外周縁、内周縁を、研磨ホイールを用いて順次に研磨加工する形削加工部と、
前記製品供給部から連続供給されるフェライトマグネチックを前記形削加工部に案内し、前記形削加工部で加工完了したフェライトマグネチックの、本体の他側への排出を連続して案内する案内レールと、を含み、
前記製品供給部は、フェライトマグネチックを本体の長手方向に前記形削加工部に移送する移送部と、
昇降駆動部により前記移送部の高低を調節する高低調節部と、を含んで構成し、
前記製品供給部は、フェライトマグネチックを本体の長手方向に移送する移送コンベヤと、前記移送コンベヤ上に積載されるフェライトマグネチックを２列に整列して長手方向に供給する整列手段をさらに備える
ことを特徴とする、モータ用フェライトマグネチック形削加工装置。
【請求項６】
前記感知手段は、
本体の上面に固定されるベースで垂直に昇降可能に設けられる昇降体の上部に垂直に設けられる縦棒と、
前記縦棒で高低調節可能に設けられる横棒と、
前記横棒の一端部に設けられてフェライトマグネチックを本体の長手方向に移送する移送コンベヤ上に積載されるフェライトマグネチックとの接触によりフェライトマグネチックを感知する感知センサーと、を含む
ことを特徴とする、請求項４に記載のモータ用フェライトマグネチック形削加工装置。
【請求項７】
前記整列手段は、
フェライトマグネチックを本体の長手方向に移送する移送コンベヤの長手方向に形成されて移送コンベヤの上部の中央に位置するように昇降体の上面に固定されるセンターガイドと、
前記センターガイドの両側でセンターガイドとの間隔調節可能に前記昇降体の上面に固定されるサイドガイドと、
前記移送コンベヤの上部に積載されて移送されるフェライトマグネチックの上面が押圧できるように前記昇降体の上部で垂直に高低調節可能に設けられる上部ガイドと、を含む
ことを特徴とする、請求項５に記載のモータ用フェライトマグネチック形削加工装置。